(57)【要約】【課題】視認性を維持しつつ、持ち運びを容易とし、利便性を向上させた交通安全用機器を提供する。【解決手段】標識表示面Ｓを有する略薄板状体の標識部１１と、標識部１１を立設支持する支持部１２と、を備え、標識部１１は、複数の標識部構成体１１ａと、複数の標識部構成体１１ａを連結する連結部１１ｂと、を有し、連結部１１ｂは、隣接する複数の標識部構成体１１ａを、それぞれの一表面が対向可能となるようにヒンジ結合する。【選択図】図１
0003223154.tif 000002
【実用新案登録請求の範囲】
【請求項１】
標識表示面を有する略薄板状体の標識部と、前記標識部を立設支持する支持部と、を備え、
前記標識部は、複数の標識部構成体と、前記複数の標識部構成体を連結する連結部と、を有し、
前記連結部は、隣接する前記複数の標識部構成体を、それぞれの一表面が対向可能となるようにヒンジ結合する交通安全用機器。
【請求項２】
前記標識部は、隣接する前記複数の標識部構成体の回動を拘束する、回動拘束部を有する、請求項１に記載の交通安全用機器。
【請求項３】
前記回動拘束部は、隣接する前記複数の標識部構成体において、互いに相対向する前記一表面と対向する面にそれぞれ固定して設けられる、回動拘束部構成体を含み、
前記複数の回動拘束部構成体は、隣接する前記複数の標識部構成体の前記標識表示面が略同一平面状にある状態において、互いに当接する当接部が設けられている、請求項２に記載の交通安全用機器。
【請求項４】
前記標識部は、前記複数の標識部構成体に設けられる着脱手段を有し、
前記着脱手段は、隣接する前記複数の標識部構成体の一表面が互いに相対向した状態において、隣接する前記複数の標識部構成体を互いに着脱可能に連結する、請求項１〜３の何れかに記載の交通安全用機器。
【請求項５】
前記標識部は、全体として、頂角が鋭角に構成された二等辺三角形状である、請求項１〜４の何れかに記載の交通安全用機器。
【請求項６】
前記標識表示面には、高輝度の反射シートが設けられている、請求項１〜５の何れかにに記載の交通安全用機器。
【請求項７】
前記標識表示面には、照明器具を取付ける照明器具取付部が設けられている、請求項１〜６の何れかに記載の交通安全用機器。
【請求項８】
前記照明器具取付部には、前記標識表示面の面方向に対して略垂直方向に突出する照明器具載置台が形成されている、請求項７に記載の交通安全用機器。
【請求項９】
前記照明器具載置台は、その載置面の面方向が前記標識表示面の面方向と略平行となるように回動可能に設けられている、請求項８に記載の交通安全用機器。
【請求項１０】
前記照明器具載置台は、磁性体である、請求項８又は９に記載の交通安全用機器。
【考案の詳細な説明】
【技術分野】
【０００１】
本考案は、道路や工事現場等の規制や区分けを行う交通安全用機器に関るものである。
【背景技術】
【０００２】
従来から、工事用の標識として、円錐状のロードコーンが多用されてきた。
【０００３】
また、近年では、技術的な工夫点を盛り込んだロードコーンが種々提案されている。
【０００４】
例えば、特許文献１には、ロードコーン本体を内部が透視可能とした材料で成形することで、内部の状態を外部から目視でき、不審物・危険物の発見や、内部に装置した器具等の正常な動作の確認等を容易とするロードコーンが記載されている。
【０００５】
また、特許文献２には、ＬＥＤの配置等の工夫により、少ない個数のＬＥＤでコーン部の全体を均一に内照し、電池の消費速度を抑えつつ、夜間での視認性を向上させることが可能なロードコーンが記載されている。
【先行技術文献】
【特許文献】
【０００６】
【特許文献１】特開２０１８−１２３５９５号公報
【特許文献２】特開２０１７−２４７２号公報
【考案の概要】
【考案が解決しようとする課題】
【０００７】
ところで、上記した円錐状のロードコーンは、その形状に起因して持ち運びにくいため、設置する際等の場所移動が円滑に行えないという問題があった。
【０００８】
本考案は上記のような実状に鑑みてなされたものであり、視認性を維持しつつ、持ち運びを容易とし、利便性を向上させた交通安全用機器を提供することを課題とする。
【課題を解決するための手段】
【０００９】
上記課題を解決するために、本考案は、標識表示面を有する略薄板状体の標識部と、前記標識部を立設支持する支持部と、を備え、
前記標識部は、複数の標識部構成体と、前記複数の標識部構成体を連結する連結部と、を有し、
前記連結部は、隣接する前記複数の標識部構成体を、それぞれの一表面が対向可能となるようにヒンジ結合する。
【００１０】
本考案によれば、連結部により、複数の標識部構成体を折り畳むことができ、不使用時には、本交通安全用機器を、コンパクトな形態とし、持ち運び易さや収納性を向上させることが可能となる。
【００１１】
本考案の好ましい形態では、前記標識部は、隣接する前記複数の標識部構成体の回動を拘束する、回動拘束部を有する。
【００１２】
このような構成とすることで、強風等による、標識部構成体の不意の回動を防止することが可能となる。
【００１３】
本考案の好ましい形態では、前記回動拘束部は、隣接する前記複数の標識部構成体において、互いに相対向する前記一表面と対向する面にそれぞれ固定して設けられる、回動拘束部構成体を含み、
前記複数の回動拘束部構成体は、隣接する前記複数の標識部構成体の前記標識表示面が略同一平面状にある状態において、互いに当接する当接部が設けられている。
【００１４】
このような構成とすることで、使用時における複数の標識部構成体の形態を、安定的に維持することが可能となる。
【００１５】
本考案の好ましい形態では、前記標識部は、前記複数の標識部構成体に設けられる着脱手段を有し、
前記着脱手段は、隣接する前記複数の標識部構成体の一表面が互いに相対向した状態において、隣接する前記複数の標識部構成体を互いに着脱可能に連結する。
【００１６】
このような構成とすることで、不使用時における複数の標識部構成体の形態を、安定的に維持することが可能となる。
【００１７】
本考案の好ましい形態では、前記標識部は、全体として、頂角が鋭角に構成された二等辺三角形状である。
【００１８】
このような構成とすることで、標識部が、ロードコーンの形態に近いものとなり、標識としての視認性が向上する。
【００１９】
本考案の好ましい形態では、前記標識表示面には、高輝度の反射シートが設けられている。
【００２０】
このような構成とすることで、夜間や暗い場所での使用において、標識部の視認性を維持することが可能となる。
【００２１】
本考案の好ましい形態では、前記標識表示面には、照明器具を取付ける照明器具取付部が設けられている。
【００２２】
このような構成とすることで、夜間や暗い場所での使用における標識部の視認性を、大きく向上させることが可能となる。
【００２３】
本考案の好ましい形態では、前記照明器具取付部には、前記標識表示面の面方向に対して略垂直方向に突出する照明器具載置台が形成されている。
【００２４】
このような構成とすることで、照明器具を容易に標識表示面側に配置することが可能となる。
【００２５】
本考案の好ましい形態では、前記照明器具載置台は、その載置面の面方向が前記標識表示面の面方向と略平行となるように回動可能に設けられている。
【００２６】
このような構成とすることで、不使用時において、照明器具載置台を折り畳むことが可能となり、本交通安全用機器の持ち運び易さや収納性を維持することが可能となる。
【００２７】
本考案の好ましい形態では、前記照明器具載置台は、磁性体である。
【００２８】
このような構成とすることで、筺体が磁性体である照明器具を、安定的に照明器具載置台に載置することが可能となる。
【考案の効果】
【００２９】
本考案によれば、視認性を維持しつつ、持ち運びを容易とし、利便性を向上させた交通安全用機器を提供することができる。
【図面の簡単な説明】
【００３０】
【図１】本考案の実施形態に係る交通安全用機器の概略斜視図である。
【図２】本考案の実施形態に係る交通安全用機器の概略斜視図である。
【図３】本考案の実施形態に係る交通安全用機器の部分拡大図である。
【図４】本考案の実施形態に係る交通安全用機器の部分拡大図である。
【図５】本考案の実施形態に係る交通安全用機器を不使用時のコンパクトな形態とするための手順について説明するための図である。
【図６】本考案の実施形態に係る交通安全用機器を不使用時のコンパクトな形態とするための手順について説明するための図である。
【図７】本考案の実施形態に係る交通安全用機器を不使用時のコンパクトな形態とするための手順について説明するための図である。
【考案を実施するための形態】
【００３１】
以下、図１〜図７を用いて、本考案の実施形態に係る交通安全用機器について説明する。
なお、以下に示す実施形態は本考案の一例であり、本考案を以下の実施形態に限定するものではない。また、これらの図において、符号１は、本実施形態に係る交通安全用機器を示す。
【００３２】
図１及び図２は、交通安全用機器１の概略斜視図であって、図１は、標識表示面Ｓ側から見た概略斜視図、図２は、標識表示面Ｓに対向する面側から見た概略斜視図である。
【００３３】
図１に示すように、交通安全用機器１は、標識表示面Ｓを有する略薄板状体の標識部１１と、標識部１１を立設支持する支持部１２と、を備えている。
【００３４】
標識部１１は、全体として、頂角が鋭角に構成された二等辺三角形状に構成され、その高さ方向に隣接する２つの標識部構成体１１ａと、２つの標識部構成体１１ａを連結する連結部１１ｂと、を有している。
【００３５】
標識表示面Ｓには、その上方に、磁性体である着脱用金具Ｂが設けられ、また、全面に高輝度の反射シートが設けられている。
なお、標識表示面Ｓは、例えば、赤と黒、赤と白、といった配色で構成されることにより、既存の円錐型のロードコーンを想起させる外観としておくことが好ましい。
【００３６】
標識部構成体１１ａは、図１において上方に設けられた第一標識部構成体１１ａ１と、下方に設けられた第二標識部構成体１１ａ２と、により構成されている。
【００３７】
連結部１１ｂは、蝶番であり、２つの標識部構成体１１ａを、それぞれの一表面が対向可能となるようにヒンジ結合している。
【００３８】
図２に示すように、支持部１２は、一対の脚部１２ａと、一対の脚部１２ａの下方に設けられ、一対の脚部１２ａに対して交通安全用機器１の配置面と略平行に懸架される受け台１２ｂと、を有している。
【００３９】
一対の脚部１２ａは、第二標識部構成体１１ａ２に設けられた第一脚部１２ａ１と、第一脚部１２ａ１の上方で、蝶番ｈ１により標識部構成体１１ａと同方向に回動可能にヒンジ結合された第二脚部１２ａ２と、により構成されている。
【００４０】
受け台１２ｂは、略四角枠体状であり、第一脚部１２ａ１の下方に設けられた補強バーｒに、蝶番ｈ２により標識部構成体１１ａと同方向に回動可能にヒンジ結合されている。
また、受け台１２ｂには、蝶番ｈ２によりヒンジ結合されている辺と対向する側に、ブラケット１２ｂ１が設けられ、図１に示す状態では、ブラケット１２ｂ１が、第二脚部１２ａ２の下方に設けられた補強バーｒに嵌め合わされている。
なお、本実施形態では図示していないが、受け台１２ｂには、適宜交通安全用機器１のブレを抑制するための重しが載置され得る。
【００４１】
図３に示すように、標識部１１は、２つの標識部構成体１１ａの回動を拘束する、回動拘束部１１ｃを有している。
【００４２】
回動拘束部１１ｃは、２つの標識部構成体１１ａそれぞれにおいて、標識表示面Ｓと対向する面に固定して設けられた一対の回動拘束部構成体１１ｃ１と、第一標識部構成体１１ａ１の標識表示面Ｓと対向する面に設けられた一対のネジ部１１ｃ２と、各ネジ部１１ｃ２に螺嵌された一対の固定ボルト部１１ｃ３と、第二標識部構成体１１ａ２の標識表示面Ｓと対向する面に設けられ、各ネジ部１１ｃ２が嵌入する溝部ｇ（図５参照）が形成された一対の嵌入部１１ｃ４と、を含む。
【００４３】
一対の回動拘束部構成体１１ｃ１は、それぞれが、略角柱状に構成され、２つの標識部構成体１１ａが略同一平面状にある状態において、互いに面接触により当接する当接面Ｐ（図５参照）が設けられている。
【００４４】
詳述すれば、一対の回動拘束部構成体１１ｃ１は、その幅方向が、２つの標識部構成体１１ａの面方向に略平行な境界線Ｌの方向と略平行となるように、設けられている。また、上部の回動拘束部構成体１１ｃ１は、その当接面Ｐと第一標識部構成体１１ａ１の下端面とが、略同一平面状に位置するように設けられ、下部の回動拘束部構成体１１ｃ１は、その当接面Ｐと第二標識部構成体１１ａ２の上端面とが、略同一平面状に位置するように設けられている。
【００４５】
図４に示すように、標識表示面Ｓには、照明器具Ｘ（図１参照）を取付ける照明器具取付部Ｓ１が設けられている。
なお、図４（ａ）は、照明器具載置台Ｓ１ａを、標識表示面Ｓの面方向に対して略垂直方向に突出させた際の図、図４（ｂ）は、照明器具載置台Ｓ１ａを、その面方向が標識表示面Ｓの面方向と略平行となるように回動させた際の図である。
【００４６】
照明器具取付部Ｓ１には、標識表示面Ｓの面方向に対して略垂直方向に突出する照明器具載置台Ｓ１ａと、第二標識部構成体１１ａ２設けられた略薄板状体の取付け台座Ｓ１ｂと、照明器具載置台Ｓ１ａと取付け台座Ｓ１ｂとを連結し、照明器具載置台Ｓ１ａを、その面方向が標識表示面Ｓの面方向と略平行となるように回動可能に設ける回動部材Ｓ１ｃと、が形成されている。
【００４７】
照明器具載置台Ｓ１ａは、磁性体である。
【００４８】
回動部材Ｓ１ｃは、蝶番ｈ３と、照明器具載置台Ｓ１ａ及び取付け台座Ｓ１ｂそれぞれから同方向に突出する、略直方体状の角度保持部材ｋとにより構成されている。
【００４９】
照明器具載置台Ｓ１ａが、標識表示面Ｓの面方向に対して略垂直方向に突出させた状態のとき、各角度保持部材ｋが面接触により当接し、照明器具載置台Ｓ１ａの、標識表示面Ｓの面方向に対する角度が、安定的に保持される。
【００５０】
交通安全用機器１の使用者は、照明器具載置台Ｓ１ａを標識表示面Ｓの面方向に対して略垂直方向に突出させた状態とすることで、図１に示すように、照明器具Ｘを載置することが可能となる。
【００５１】
次に、図５〜図７を用いて、交通安全用機器１を不使用時のコンパクトな形態とするための手順について説明する。
【００５２】
まず、使用者は、図１に示す状態から照明器具Ｘを取り外し、照明器具載置台Ｓ１ａを、蝶番ｈ３を介して、第一標識部構成体１１ａ１に向かって回動させ、その載置面の面方向が標識表示面Ｓの面方向と略平行とすることで、図４（ｂ）に示すように、照明器具載置台Ｓ１ａを折り畳む。
【００５３】
次に、使用者は、一対の固定ボルト部１１ｃ３を回転させ、一対の固定ボルト部１１ｃ３と一対の嵌入部１１ｃ４の外面との圧着状態を解消させる。
こうすることにより、使用者は、図５に示すように、一対のネジ部１１ｃ２を一対の溝部ｇから脱離させつつ、第一標識部構成体１１ａ１を、連結部１１ｂを軸として、第二標識部構成体１１ａ２に向かって回動させて、折り畳むことができる。
【００５４】
このとき、図６に示すように、磁性体である着脱用金具Ｂが、同じく磁性体である照明器具載置台Ｓ１ａに接触することで、吸着し、第一標識部構成体１１ａ１の回動が抑止される。
即ち、着脱用金具Ｂと照明器具載置台Ｓ１ａと、で着脱手段Ｗが構成されている。
【００５５】
最後に、使用者は、受け台１２ｂを、蝶番ｈ２を介して、第二標識部構成体１１ａ２に向かって回動させた後、第二脚部１２ａ２を、蝶番ｈ１を介して、第二標識部構成体１１ａ２に向かって回動させる。
こうすることにより、交通安全用機器１は、図７に示すように、コンパクトな形態となる。
なお、図７（ａ）は、交通安全用機器１をコンパクトな形態とした際の、標識表示面Ｓ側から見た概略斜視図、図７（ｂ）は、交通安全用機器１をコンパクトな形態とした際の、標識表示面Ｓに対向する面側から見た概略斜視図である。
【００５６】
本実施形態によれば、連結部１１ｂにより、２つの標識部構成体１１ａを折り畳むことができ、不使用時には、交通安全用機器１を、コンパクトな形態とし、持ち運び易さや収納性を向上させることが可能となる。
【００５７】
また、回動拘束部１１ｃを有することで、強風等による、第一標識部構成体１１ａ１の不意の回動を防止することが可能となる。
【００５８】
また、回動拘束部構成体１１ｃ１により、使用時における２つの標識部構成体１１ａの形態を、安定的に維持することが可能となる。
【００５９】
また、標識部１１が着脱手段Ｗを有することで、不使用時における２つの標識部構成体１１ａの形態を、安定的に維持することが可能となる。
【００６０】
また、標識部１１が、全体として、頂角が鋭角に構成された二等辺三角形状であることで、標識部１１が、ロードコーンの形態に近いものとなり、標識としての視認性が向上する。
【００６１】
また、標識表示面Ｓに高輝度の反射シートが設けられていることで、夜間や暗い場所での使用において、標識部１１の視認性を維持することが可能となる。
【００６２】
また、標識表示面Ｓに照明器具Ｘを取付ける照明器具取付部Ｓ１が設けられていることで、夜間や暗い場所での使用における標識部１１の視認性を、大きく向上させることが可能となる。
【００６３】
また、標識表示面Ｓの面方向に対して略垂直方向に突出する照明器具載置台Ｓ１ａが形成されていることで、照明器具Ｘを容易に標識表示面Ｓ側に配置することが可能となる。
【００６４】
また、照明器具載置台Ｓ１ａが、その載置面の面方向が標識表示面Ｓの面方向と略平行となるように回動可能に設けられていることで、不使用時において、照明器具載置台Ｓ１ａを折り畳むことが可能となり、交通安全用機器１の持ち運び易さや収納性を維持することが可能となる。
【００６５】
また、照明器具載置台Ｓ１ａが磁性体であることで、筺体が磁性体である照明器具Ｘを、安定的に照明器具載置台Ｓ１ａに載置することが可能となる。
【００６６】
なお、上述の実施形態において示した各構成部材の諸形状や寸法等は一例であって、設計要求等に基づき種々変更可能である。
【００６７】
例えば、回動拘束部１１ｃにおいて、ネジ部１１ｃ２、固定ボルト部１１ｃ３、嵌入部１１ｃ４を、必ずしも設ける必要はなく、回動拘束部構成体１１ｃ１のみとし、当接面Ｐに磁性を持たせることで、当接面Ｐ同士を吸着させ、回動を拘束する構成としても良い。
【符号の説明】
【００６８】
１        交通安全用機器
１１      標識部
１１ａ    標識部構成体
１１ａ１  第一標識部構成体
１１ａ２  第二標識部構成体
１１ｂ    連結部
１１ｃ    回動拘束部
１１ｃ１  回動拘束部構成体
１１ｃ２  ネジ部
１１ｃ３  固定ボルト部
１１ｃ４  嵌入部
Ｐ        当接面
ｇ        溝部
１２      支持部
１２ａ    脚部
１２ａ１  第一脚部
１２ａ２  第二脚部
１２ｂ    受け台
１２ｂ１  ブラケット
ｒ        補強バー
Ｓ１      照明器具取付部
Ｓ１ａ    照明器具載置台
Ｓ１ｂ    取付け台座
Ｓ１ｃ    回動部材
ｋ        角度保持部材
ｈ１、ｈ２、ｈ３  蝶番
Ｂ        着脱用金具
Ｗ        着脱手段
Ｘ        照明器具
【図１】
0003223154.tif 000003
【図２】
0003223154.tif 000004
【図３】
0003223154.tif 000005
【図４】
0003223154.tif 000006
【図５】
0003223154.tif 000007
【図６】
0003223154.tif 000008
【図７】
0003223154.tif 000009